(57)【要約】【課題】各種ワイヤレス信号による電源入切または出力制御ができるワイヤレスリモコンアダプタ、電気装置および照明装置を提供する。【解決手段】ワイヤレスリモコンアダプタ２は、入力部９および出力部１０を電気的に接続または遮断する常閉の開閉装置１２を有して造営面８に配設されたアダプタ本体５と、送信装置４から送信されるワイヤレス信号を受信する受信部１８および受信部１８が受信したワイヤレス信号に基づいて開閉装置１２の開閉動作を制御する制御信号を生成する制御部１９を有し、一端部６ａがアダプタ本体５に取付けられるアダプタ６とを具備する。【選択図】図２
2004055473.tif 000002
【特許請求の範囲】
【請求項１】
電源に電気的に接続されている入力部と、電気器具の入力部に電気的に接続される出力部と、入力部および出力部の間に介在して入力部および出力部を電気的に接続または遮断する常閉の開閉装置とを有し、造営面に配設されたアダプタ本体と；
送信装置から送信されるワイヤレス信号を受信する受信部および受信部が受信したワイヤレス信号に基づいて開閉装置の開閉動作を制御する制御信号を生成する制御部を有し、一端部がアダプタ本体に取付けられ、アダプタ本体に取付けられたときに、制御部は、開閉装置に制御信号を伝送可能であり、当初入力部および出力部を電気的に遮断するように開閉装置を制御するとともに、以後、受信部が受信したワイヤレス信号に基づいて開閉装置を制御するように構成されたアダプタと；
を具備していることを特徴とするワイヤレスリモコンアダプタ。
【請求項２】
電源に電気的に接続されている給電部を有して造営面に配設されている接続器の給電部に接続される入力部と、電気器具の入力部に電気的に接続される出力部と、入力部および出力部の間に介在して入力部および出力部を電気的に接続または遮断する常閉の開閉装置とを有するアダプタ本体と；
送信装置から送信されるワイヤレス信号を受信する受信部および受信部が受信したワイヤレス信号に基づいて開閉装置の開閉動作を制御する制御信号を生成する制御部を有し、一端部がアダプタ本体に取付けられ、アダプタ本体に取付けられたときに、制御部は、当初入力部および出力部を電気的に遮断するように開閉装置を制御するとともに、以後、受信部が受信したワイヤレス信号に基づいて開閉装置を制御するように構成されたアダプタと；
を具備していることを特徴とするワイヤレスリモコンアダプタ。
【請求項３】
電源に直接的または間接的に接続される入力部と、電気器具の入力部に電気的に接続される出力部と、入力部および出力部の間に介在して入力部および出力部を電気的に接続または遮断する開閉装置とを有するアダプタ本体と；
送信装置から送信されるワイヤレス信号を受信する受信部および受信部が受信したワイヤレス信号に基づいて開閉装置の開閉動作を制御する制御信号を生成する制御部を有し、一端部がアダプタ本体に取付けられ、アダプタ本体に取付けられたときに、制御部は、受信部が受信したワイヤレス信号に基づいて開閉装置を制御するように構成され、少なくとも赤外線または電波をそれぞれ受信する２種類のアダプタと；
を具備していることを特徴とするワイヤレスリモコンアダプタ。
【請求項４】
アダプタは、カード型形状に形成されていることを特徴とする請求項１ないし３いずれか一記載のワイヤレスリモコンアダプタ。
【請求項５】
造営面に配設された器体と；
器体内に配設され、電源に電気的に接続されている入力部と電気器具の入力部に電気的に接続される出力部との間に介在して入力部および出力部を電気的に接続または遮断する開閉装置と；
受信素子が端末装置から送信される電波を受信可能に配設され、当該電波による開閉装置の開閉動作に対する制御信号を受信する器体内に配設された受信部と；
器体内に配設され、受信部が受信した制御信号に基づいて開閉装置の開閉動作を制御する制御部と；
器体に配設され、アドレス設定時に外部から視認可能に点灯または点滅するＬＥＤと；
を具備していることを特徴とするワイヤレスリモコンアダプタ。
【請求項６】
電源に電気的に接続されている給電部を有して造営面に配設されている接続器に取付けられる器体と；
器体内に配設され、前記接続器の給電部に電気的に接続される入力部と電気器具の入力部に電気的に接続される出力部との間に介在して入力部および出力部を電気的に接続または遮断する開閉装置と；
受信素子が端末装置から送信される電波を受信可能に配設され、当該電波による開閉装置の開閉動作に対する制御信号を受信する器体内に配設された受信部と；
器体内に配設され、受信部が受信した制御信号に基づいて開閉装置の開閉動作を制御する制御部と；
器体に配設され、アドレス設定時に外部から視認可能に点灯または点滅するＬＥＤと；
を具備していることを特徴とするワイヤレスリモコンアダプタ。
【請求項７】
開閉装置はリレーからなり、ＬＥＤは、リレーコイルの両端間に接続されていることを特徴とする請求項５または６記載のワイヤレスリモコンアダプタ。
【請求項８】
請求項１ないし４いずれか一記載のワイヤレスリモコンアダプタと；
このワイヤレスリモコンアダプタの出力部に導通可能に接続される一対の電極刃を有する電気器具と；
ワイヤレスリモコンアダプタの受信部にワイヤレス信号を送信する送信装置と；
を具備していることを特徴とする電気装置。
【請求項９】
請求項５ないし７いずれか一記載のワイヤレスリモコンアダプタと；
このワイヤレスリモコンアダプタの出力部に導通可能に接続される一対の電極刃を有する電気器具と；
開閉装置の開閉動作に対する制御信号を電波により送信するように構成された端末装置と；
を具備していることを特徴とする電気装置。
【請求項１０】
請求項１ないし４いずれか一記載のワイヤレスリモコンアダプタと；
このワイヤレスリモコンアダプタの出力部に導通可能に接続される一対の電極刃を有する引掛シーリングキャップが取り付けられた照明器具と；
ワイヤレスリモコンアダプタの受信部にワイヤレス信号を送信する送信装置と；
を具備していることを特徴とする照明装置。
【請求項１１】
請求項５ないし７いずれか一記載のワイヤレスリモコンアダプタと；
このワイヤレスリモコンアダプタの出力部に導通可能に接続される一対の電極刃を有する引掛シーリングキャップが取り付けられた照明器具と；
開閉装置の開閉動作に対する制御信号を電波により送信するように構成された端末装置と；
を具備していることを特徴とする照明装置。
【発明の詳細な説明】
【０００１】
【発明の属する技術分野】
本発明は、電波によって電源の入切が可能なワイヤレスリモコンアダプタ、電気装置および照明装置に関する。
【０００２】
【従来の技術】天井面などに固定された引掛シーリングと、照明装置の電源コードの先端部に取り付けられた引掛シーリングキャップとの間にリモコンアダプタを設け、遠隔操作により照明装置をオンオフ制御することが広く行われている。例えば特開平４−３２１９６号公報、実開平５−６１９９７号公報、実開平７−７０１５号公報、特開平１１−１３５２７１号公報あるいは特開２００１−２５６８２２号公報（従来技術）などに開示されている。図１２は、従来技術の照明装置の構成図である。
【０００３】
図１２に示す照明装置６０は、既設の屋内配線した引掛シーリング６１と既存の照明装置６２に付属した引掛シーリングキャップ６３との間にリモコンアダプタ６４を介在させ、ケーブル線６５により赤外線受光部６６が繋がれている。そして、赤外線送信用ユニットから赤外線を照射する位置に対して赤外線受光部６６の配設位置を自由自在に変えられるものである。
【０００４】
【発明が解決しようとする課題】従来技術は、赤外線受光部６６を天井６７等に取付けるので、手間を要するという欠点を有する。
【０００５】
また、近年、照明装置６０を含む電気装置は、一箇所の端末装置により点滅などの制御が行われており、この場合、電波が用いられるので、赤外線を用いる従来技術は、このホームネットワークに構成できないという欠点を有する。ここで、赤外線および電波の両方を受信して点滅などの制御を行うリモコンアダプタを用いることが考えられるが、この場合、リモコンアダプタの本体が大型化するとともに、コスト高となり、需要者の要求に応えられないものであった。そこで、需要者が各種ワイヤレス信号を選択可能であり、小型、低コストのワイヤレスリモコンアダプタが要望されている。
【０００６】
本発明は、各種ワイヤレス信号による電源入切または出力制御ができるワイヤレスリモコンアダプタ、電気装置および照明装置を提供することを目的とする。
【０００７】
【課題を解決するための手段】請求項１に記載のワイヤレスリモコンアダプタの発明は、電源に電気的に接続されている入力部と、電気器具の入力部に電気的に接続される出力部と、入力部および出力部の間に介在して入力部および出力部を電気的に接続または遮断する常閉の開閉装置とを有し、造営面に配設されたアダプタ本体と；送信装置から送信されるワイヤレス信号を受信する受信部および受信部が受信したワイヤレス信号に基づいて開閉装置の開閉動作を制御する制御信号を生成する制御部を有し、一端部がアダプタ本体に取付けられ、アダプタ本体に取付けられたときに、制御部は、開閉装置に制御信号を伝送可能であり、当初入力部および出力部を電気的に遮断するように開閉装置を制御するとともに、以後、受信部が受信したワイヤレス信号に基づいて開閉装置を制御するように構成されたアダプタと；を具備していることを特徴とする。
【０００８】
本発明および以下の各発明において、特に言及しない限り、各構成は以下による。
【０００９】
「常閉の開閉装置」とは、アダプタ本体にアダプタが取付けられていないときに、開閉装置が入力部および出力部を電気的に接続しているものである。したがって、開閉装置は、常閉接点を有しているという意味ではなく、アダプタ本体にアダプタが取付けられていないときに、常開接点がオンするように構成されたものであってもよい。
【００１０】
常閉の開閉装置を有していれば、例えば送信装置が故障または紛失してワイヤレス信号を送信できなくなったときに、アダプタをアダプタ本体から取り外すことにより、壁スイッチ等のオンオフ操作で出力部に電源から電圧の供給および遮断を行うことができる。
【００１１】
「送信装置」とは、赤外線や電波などのワイヤレス信号を送信するものであればよく、送信器や壁等に配設された端末装置などを包含する。
【００１２】
「当初」とは、入力部に電源から電圧が印加されている状態で、アダプタ本体にアダプタが取付けられたとき、または、アダプタ本体にアダプタが取付けられている状態で、入力部に電源から電圧が印加されたときを意味する。このとき、常閉の開閉装置はオンされ、入力部および出力部は電気的に遮断される。
【００１３】
本発明によれば、アダプタに受信部および制御部を有するので、アダプタ本体が小型化されるとともに、アダプタを交換することによって、各種ワイヤレス信号に対応可能なワイヤレスリモコンアダプタが提供される。
【００１４】
請求項２に記載のワイヤレスリモコンアダプタの発明は、電源に電気的に接続されている給電部を有して造営面に配設されている接続器の給電部に接続される入力部と、電気器具の入力部に電気的に接続される出力部と、入力部および出力部の間に介在して入力部および出力部を電気的に接続または遮断する常閉の開閉装置とを有するアダプタ本体と；送信装置から送信されるワイヤレス信号を受信する受信部および受信部が受信したワイヤレス信号に基づいて開閉装置の開閉動作を制御する制御信号を生成する制御部を有し、一端部がアダプタ本体に取付けられ、アダプタ本体に取付けられたときに、制御部は、当初入力部および出力部を電気的に遮断するように開閉装置を制御するとともに、以後、受信部が受信したワイヤレス信号に基づいて開閉装置を制御するように構成されたアダプタと；を具備していることを特徴とする。
【００１５】
「造営面に配設されている接続器」とは、天井に配設された引掛シーリングや壁等に配設されたコンセントなどをいう。
【００１６】
本発明によれば、造営面に配設されている接続器および既存の電気器具の間にワイヤレスリモコンアダプタを接続することにより、既存の電気器具は、送信装置から電源入力や出力制御されるとともに、アダプタの交換により、各種ワイヤレス信号に対応可能である。
【００１７】
請求項３に記載のワイヤレスリモコンアダプタの発明は、電源に直接的または間接的に接続される入力部と、電気器具の入力部に電気的に接続される出力部と、入力部および出力部の間に介在して入力部および出力部を電気的に接続または遮断する開閉装置とを有するアダプタ本体と；送信装置から送信されるワイヤレス信号を受信する受信部および受信部が受信したワイヤレス信号に基づいて開閉装置の開閉動作を制御する制御信号を生成する制御部を有し、一端部がアダプタ本体に取付けられ、アダプタ本体に取付けられたときに、制御部は、受信部が受信したワイヤレス信号に基づいて開閉装置を制御するように構成され、少なくとも赤外線または電波をそれぞれ受信する２種類のアダプタと；を具備していることを特徴とする。
【００１８】
「入力部が電源に直接的に接続される」とは、入力部が配線コードを介して電源に接続されることをいい、「入力部が電源に間接的に接続される」とは、電源に接続されているコンセントや引掛シーリングなどの接続器に入力部が接続されることをいう。
【００１９】
本発明によれば、赤外線または電波をそれぞれ受信するアダプタを具備するので、赤外線または電波を送信する送信装置に応じてアダプタが交換される。
【００２０】
請求項４に記載のワイヤレスリモコンアダプタの発明は、請求項１ないし３いずれか一記載のワイヤレスリモコンアダプタにおいて、アダプタは、カード型形状に形成されていることを特徴とする。
【００２１】
本発明によれば、アダプタはカード型形状に形成されているので、アダプタ本体への取付けが容易であるとともに、小型化される。
【００２２】
請求項５に記載のワイヤレスリモコンアダプタの発明は、造営面に配設された器体と；器体内に配設され、電源に電気的に接続されている入力部と電気器具の入力部に電気的に接続される出力部との間に介在して入力部および出力部を電気的に接続または遮断する開閉装置と；受信素子が端末装置から送信される電波を受信可能に配設され、当該電波による開閉装置の開閉動作に対する制御信号を受信する器体内に配設された受信部と；器体内に配設され、受信部が受信した制御信号に基づいて開閉装置の開閉動作を制御する制御部と；器体に配設され、アドレス設定時に外部から視認可能に点灯または点滅するＬＥＤと；を具備していることを特徴とする。
【００２３】
本発明によれば、端末装置から送信されたワイヤレス信号のアドレスと一致するアドレスを有するワイヤレスリモコンアダプタのＬＥＤが点灯または点滅するので、ワイヤレスリモコンアダプタに電気器具が接続されていなくても、ＬＥＤの点灯または点滅を視認することにより、ワイヤレスリモコンアダプタに対する端末装置のアドレス設定が容易になされる。そして、ワイヤレスリモコンアダプタに接続された電気器具は、端末装置から電源入力や出力制御される。
【００２４】
請求項６に記載の照明装置の発明は、電源に電気的に接続されている給電部を有して造営面に配設されている接続器に取付けられる器体と；器体内に配設され、前記接続器の給電部に電気的に接続される入力部と電気器具の入力部に電気的に接続される出力部との間に介在して入力部および出力部を電気的に接続または遮断する開閉装置と；受信素子が端末装置から送信される電波を受信可能に配設され、当該電波による開閉装置の開閉動作に対する制御信号を受信する器体内に配設された受信部と；器体内に配設され、受信部が受信した制御信号に基づいて開閉装置の開閉動作を制御する制御部と；器体に配設され、アドレス設定時に外部から視認可能に点灯または点滅するＬＥＤと；を具備していることを特徴とする。
【００２５】
本発明によれば、既設の接続器および既存の電気器具の間にワイヤレスリモコンアダプタを接続することにより、既存の電気器具は送信装置から電源入力や出力制御されるとともに、アドレス設定時にＬＥＤの点灯または点滅を視認することにより、ワイヤレスリモコンアダプタに既存の電気器具が接続されていなくても、ワイヤレスリモコンアダプタに対する端末装置のアドレス設定が容易になされる。
【００２６】
請求項７に記載のワイヤレスリモコンアダプタの発明は、請求項５または６記載のワイヤレスリモコンアダプタにおいて、開閉装置はリレーからなり、ＬＥＤは、リレーコイルの両端間に接続されていることを特徴とする。
【００２７】
本発明によれば、ＬＥＤは、リレーコイルの両端間に接続されているので、リレーコイルの両端間が給電されると点灯する。したがって、ワイヤレスリモコンアダプタのアドレスと端末装置から送信されたワイヤレス信号のアドレスとの一致がＬＥＤの点灯により確認される。
【００２８】
請求項８に記載の電気装置の発明は、請求項１ないし４いずれか一記載のワイヤレスリモコンアダプタと；このワイヤレスリモコンアダプタの出力部に導通可能に接続される一対の電極刃を有する電気器具と；ワイヤレスリモコンアダプタの受信部にワイヤレス信号を送信する送信装置と；を具備していることを特徴とする。
【００２９】
「電極刃」とは、ピン状、コンセント形や引っ掛け形など、その形状は問わない。
【００３０】
本発明によれば、電気器具が接続されたワイヤレスリモコンアダプタは、アダプタの交換により各種ワイヤレス信号に対応可能であるとともに、電気器具が送信装置から電源入力や出力制御される電気装置が提供される。
【００３１】
請求項９に記載の電気装置の発明は、請求項５ないし７いずれか一記載のワイヤレスリモコンアダプタと；このワイヤレスリモコンアダプタの出力部に導通可能に接続される一対の電極刃を有する電気器具と；開閉装置の開閉動作に対する制御信号を電波により送信するように構成された端末装置と；を具備していることを特徴とする。
【００３２】
本発明によれば、アドレス設定時にＬＥＤの点灯または点滅を視認することにより、ワイヤレスリモコンアダプタに対する端末装置のアドレス設定が容易になされ、電気器具が端末装置から電源入力や出力制御される電気装置が提供される。
【００３３】
請求項１０に記載の照明装置の発明は、請求項１ないし４いずれか一記載のワイヤレスリモコンアダプタと；このワイヤレスリモコンアダプタの出力部に導通可能に接続される一対の電極刃を有する引掛シーリングキャップが取り付けられた照明器具と；ワイヤレスリモコンアダプタの受信部にワイヤレス信号を送信する送信装置と；を具備していることを特徴とする。
【００３４】
本発明によれば、照明器具が接続されたワイヤレスリモコンアダプタは、アダプタの交換により各種ワイヤレス信号に対応可能であるとともに、照明器具が送信装置から電源入力や出力制御される照明装置が提供される。
【００３５】
請求項１１に記載の照明装置の発明は、請求項５ないし７いずれか一記載のワイヤレスリモコンアダプタと；このワイヤレスリモコンアダプタの出力部に導通可能に接続される一対の電極刃を有する引掛シーリングキャップが取り付けられた照明器具と；開閉装置の開閉動作に対する制御信号を電波により送信するように構成された端末装置と；を具備していることを特徴とする。
【００３６】
本発明によれば、アドレス設定時にＬＥＤの点灯または点滅を視認することにより、ワイヤレスリモコンアダプタに対する端末装置のアドレス設定が容易になされ、照明器具が端末装置から電源入力や出力制御される照明装置が提供される。
【００３７】
【発明の実施の形態】以下、本発明の一実施の形態について、図面を参照して説明する。まず、本発明の第１の実施形態について説明する。
【００３８】
図１〜図３は、本発明の第１の実施形態を示し、図１は照明装置の概略側面図、図２は照明装置の分解概略正面図、図３はワイヤレスリモコンアダプタの回路図である。
【００３９】
図１において、電気装置としての照明装置１は、ワイヤレスリモコンアダプタ２、電気器具としての照明器具３および送信装置４を有して構成されている。
【００４０】
ワイヤレスリモコンアダプタ２は、アダプタ本体５とアダプタ６を有して構成されている。そして、アダプタ６は、その一端部６Ａがアダプタ本体５に設けられた挿入口７に挿入されてアダプタ本体５に取付けられている。
【００４１】
アダプタ本体５は、略四角形状に形成されて、造営面としての天井面８に配設されている。そして、図３に示すように、内部に入力部９、出力部１０、電源部１１、開閉装置１２および入力インターフェース部１３を有している。入力部９は、アダプタ本体５の上面５ａ側に設けられ、入力端子９ａ，９ｂが電源線（配線コード）１４，１４を介して商用交流電源Ｖｓに電気的に接続されており、１００Ｖの交流電圧が入力される。
【００４２】
また、出力部１０は、アダプタ本体５の下面５ｂ側に設けられている。アダプタ本体５の下面５ｂには、下面５ｂの中心部に対して１８０°離間した位置に照明器具３の一対の電極刃（入力部）受け穴（図示しない。）が所定長にわたって円弧状に形成されている。この電極刃受け穴から後述の照明器具３の一対の電極刃（入力部）２２，２２が挿入され、回動されて出力端子１０ａ，１０ｂ上に載置されることにより、出力部１０は、照明器具３の入力部に電気的に接続される。そして、出力端子１０ａ，１０ｂは、開閉装置１２を介してそれぞれ入力端子９ａ，９ｂに電気的に接続されている。出力部１０からは、入力部９に入力した交流電圧または開閉装置１２により位相制御された交流電圧が出力される。照明器具３は、位相制御された交流電圧により、その出力が制御される。
【００４３】
電源部１１は、入力部９から給電され、交流電圧を所定値の直流電圧に変換して、開閉装置１２の駆動回路部および位相制御回路部１５、入力インターフェース部１３を介してアダプタ６に出力するものである。また、入力インターフェース部１３は、アダプタ本体５およびアダプタ６を電気的に接続させる。
【００４４】
開閉装置１２は、駆動回路部および位相制御回路部１５、リレー１６および位相制御素子１７を有して構成されている。リレー１６は、入力部９および出力部１０の間に介在しており、リレーコイル１６ａが励磁または消磁されることにより、入力部９および出力部１０を電気的に接続または遮断させる。また、リレー１６は、リレーコイル１６ａが消磁されているときに入力部９および出力部１０を電気的に接続するように、常閉接点１６ｂ，…，１６ｂが設けられている。
【００４５】
位相制御素子１７は、例えばトライアックＴＲ１からなり、その主端子Ｔ１，Ｔ２がリレー１６および出力部１０の出力端子１０ｂの間に接続され、ゲート端子Ｇが駆動回路部および位相制御回路部１５に接続されている。位相制御素子１７は、位相制御した交流電圧を出力部１０に供給する。
【００４６】
駆動回路部および位相制御回路部１５は、リレーコイル１６ａを励磁または消磁させて、リレー接点１６ｂ，…，１６ｂ間を開路または閉路させる。すなわち、リレーコイル１６ａが励磁されると、リレー１６はオフし、逆にリレーコイル１６ａが消磁されると、リレー１６はオンする。また、駆動回路部および位相制御回路部１５は、位相制御素子１７の導通角を変化させるように構成されている。これにより、出力部１０から出力される交流電圧値が変化される。そして、これらリレー１６のオンオフ制御および位相制御素子１７の導通角の制御は、アダプタ６から伝送される制御信号に応じて行うように構成されている。
【００４７】
アダプタ６は、図２に示すように、外形がカード型形状に形成され、一端部６Ａが本体部６Ｂより段差を有して突出している。そして、図３に示すように、受信部１８、制御部１９および出力インターフェース部２０を有して構成されている。
【００４８】
受信部１８は、送信装置４から送信されるワイヤレス信号を受信するように構成されたものであり、本体部６Ｂの下面６ｂに臨んで受信素子（図示しない。）が配設されている。また、制御部１９は、受信部１８が受信したワイヤレス信号に基づいて開閉装置１２のリレー１６の開閉動作または位相制御素子１７の位相角を制御する制御信号を生成するように構成されている。また、出力インターフェース部２０は、多数の入出力端子が設けられ、アダプタ６がアダプタ本体５に取付けられたときにアダプタ本体５の入力インターフェース部１３に接続され、アダプタ本体５およびアダプタ６を電気的に接続させる。このとき、制御部１９で生成された制御信号は、開閉装置１２の駆動回路部および位相制御回路部１５に伝送可能となる。
【００４９】
また、制御部１９は、アダプタ６がアダプタ本体５に取付けられたときに、当初、アダプタ本体５の入力部９および出力部１０を電気的に遮断するように、開閉装置１２のリレー１６をオフさせる制御信号を送出するように構成されている。すなわち、アダプタ６がアダプタ本体５から取り外されているとき、アダプタ本体５の出力部１０には、商用交流電源Ｖｓから交流電圧が供給されている状態とし、アダプタ６がアダプタ本体５に取付けられているとき、受信部１８が受信したワイヤレス信号に基づいて開閉装置１２の開閉動作および交流電圧の位相角の制御が行われるように構成されている。
【００５０】
なお、アダプタ６の一端部６Ａの外表面には、弾性片（図示しない）が設けられており、一端部６Ａがアダプタ本体５の挿入口７に挿入されたときに、弾性片が挿入口７の内壁を押圧することにより、アダプタ６がアダプタ本体５より容易に取り外れないようにしている。上述のように、アダプタ本体５およびアダプタ６を有してワイヤレスリモコンアダプタ２が形成されている。
【００５１】
図２において、照明器具３は、電源コード２１の先端部に一対の電極刃２２，２２を有する引掛シーリングキャップ２３が取付けられている。一対の電極刃２２，２２は、電源コード２１を介してランプとしての電球形蛍光ランプ２４に電気的に接続されている。
【００５２】
すなわち、引掛シーリングキャップ２３は、略四角形状に形成されて、アダプタ本体５の下面５ｂに対向する上面部２３ａを有している。そして、内部には、上面部２３ａの中心部に対して１８０°離間した位置に板状の一対の電極刃２２，２２が円弧状に形成され、この一対の電極刃２２，２２は上面部２３ａより上方向きに突出している。そして、下面部２３ｂの中央部には、ブッシング２５を介して照明器具３の電源コード２１の先端部が取り付けられている。電源コード２１の電源線（図示しない。）は、一対の電極刃２２，２２に電気的に接続されている。
【００５３】
一対の電極刃２２，２２は、アダプタ本体５の下面５ｂに形成された一対の電極刃受け穴に挿入され、引掛シーリングキャップ２３が回動されることにより、アダプタ本体５の出力部１０の出力端子１０ａ，１０ｂに導通状態に接続される。このように、照明器具３が取付けられた引掛シーリングキャップ２３を天井面（造営面）８に配設されたワイヤレスリモコンアダプタ２に取り付けると、商用交流電源Ｖｓよりアダプタ本体５の入力部９、開閉装置１２および出力部１０、引掛シーリングキャップ２３の一対の電極刃２２，２２および電源コード２１の電源線を介して照明器具３の電球形蛍光ランプ２４に電力が供給可能となる。
【００５４】
そして、送信装置４は、送信器（リモコン）に形成され、アダプタ６の受信素子に向かって赤外線によるワイヤレス信号を送信するように構成されている。そして、外表面には、電源スイッチ２６およびアップ・ダウンスイッチ２７Ａ，２７Ｂが設けられている。電源スイッチ２６をオンオフ操作することによって、開閉装置１２のリレー１６をオンオフ制御する電源オンオフ信号（ワイヤレス信号）が送信され、アップ・ダウンスイッチ２７Ａ，２７Ｂを押操作することによって、開閉装置１２の位相制御素子１７の位相角を制御する調光信号（ワイヤレス信号）が送信される。
【００５５】
上述のようにして、照明装置１が構成され、照明器具３の電球形蛍光ランプ２４は、送信装置４により点消灯あるいは調光点灯される。
【００５６】
次に、本発明の第１の実施形態の作用について述べる。
【００５７】
照明装置１は、アダプタ６の下面６ｂに臨んで配設された受信素子に向かって送信装置４から電球形蛍光ランプ２４を点消灯させる電源オンオフ信号や調光点灯させる調光信号が赤外線により送信される。この赤外線による電源オンオフ信号や調光信号は、アダプタ６の受信部１８で受信され、制御部１９で開閉装置１２のリレー１６をオンオフさせる制御信号や位相制御素子１７の位相角を制御する制御信号に変換されて駆動回路部および位相制御回路部１５に伝送される。そして、リレー１６のオンオフや位相制御素子１７の位相角の変化により、照明器具３の電球形蛍光ランプ２４が点消灯し、調光点灯する。
【００５８】
送信装置４より送信される電源オンオフ信号や調光信号などのワイヤレス信号は、赤外線により指向性を有するので、アダプタ６の下面６ｂが視認可能な例えば室内など、その送信位置が限定される。
【００５９】
ところで、近年、図２に示すように、送信装置４を用いずに壁等に取付けられた端末装置２８によって、照明器具３の電球形蛍光ランプ２４の点消灯や調光点灯が行われるようになっている。端末装置２８は、電波により電源オンオフ信号や調光信号などのワイヤレス信号を送信するので、例えば廊下やリビングなど、照明装置１が配設されていない場所に設けることができる。そして、端末装置２８の取付位置は固定しているので、送信装置４のように探し求めることから開放される。
【００６０】
端末装置２８によって、照明器具３の電球形蛍光ランプ２４を点消灯または調光点灯させるときには、アダプタ６をアダプタ２９に交換するようにする。アダプタ２９は、外形がアダプタ６と同様に形成され、その受信部が端末装置２８から送信される電波による電源オンオフ信号や調光信号などのワイヤレス信号を受信可能に形成されている。そして、その制御部は、当該受信部が受信したワイヤレス信号に基づいて開閉装置１２のリレー１６の開閉動作および位相制御素子１７の位相角を制御する制御信号を生成するように構成されている。以下、送信装置４と同様、端末装置２８のオン・オフスイッチ２９Ａ，２９Ｂまたはアップ・ダウンスイッチ３０Ａ，３０Ｂの押操作により、照明器具３の電球形蛍光ランプ２４は、点消灯または調光点灯される。
【００６１】
このように、各種ワイヤレス信号に対応してアダプタを構成し、当該アダプタをアダプタ本体５に取付けることによって、各種ワイヤレス信号に対応可能なワイヤレスリモコンアダプタが提供可能である。
【００６２】
また、アダプタ６およびアダプタ２９がアダプタ本体５に取付けられていないとき、開閉装置１２のリレー１６のリレー接点１６ｂ，…，１６ｂは常閉しているので、照明器具３の電球形蛍光ランプ２４は、商用交流電源Ｖｓおよびアダプタ本体５の間に設けられている壁スイッチ（図示しない。）により点消灯させることができる。
【００６３】
そして、ワイヤレスリモコンアダプタ２は、アダプタ６に受信部１８および制御部１９を有し、アダプタ本体５に電源部１１および開閉装置１２等を有しているので、回路構成が分割されて、アダプタ本体５が小型化される。また、アダプタ６は、カード型形状に形成され、アダプタ本体５の挿入口７に挿入してアダプタ本体５に取付けられるので、小型であり、取付作業が容易である。
【００６４】
次に、本発明の第２の実施形態について説明する。
【００６５】
図４は、本発明の第２の実施形態を示す照明装置の分解概略正面図である。なお、図２と同一部分には同一符号を付して説明は省略する。
【００６６】
図４に示す照明装置３１は、接続器としての既設の引掛シーリング３２にワイヤレスリモコンアダプタ３３が取付けられたものである．
【００６７】
引掛シーリング３２は、略筒状形状に形成され、天井面（造営面）８に配設されている。そして、取付面部３２ａには、取付面部３２ａの中心部に対して１８０°離間した位置に一対の電極刃受け穴（図示しない。）が形成され、内部には、電極刃受け穴の上方に位置する図示しない一対の電源極（給電部）が設けられ、これらの電源極には、天井裏に設置された配線から分岐された配線コード（電源線）１４，１４が接続されている。すなわち、一対の電源極（給電部）は、商用交流電源Ｖｓに電気的に接続されている。
【００６８】
ワイヤレスリモコンアダプタ３３は、アダプタ本体３４およびアダプタ６（２９）を有して構成され、その回路構成は、図３に示すワイヤレスリモコンアダプタ２と同様である。
【００６９】
そして、アダプタ本体３４は、略四角形状に形成されて、引掛シーリング３２の取付面部３２ａに対向する上面部３４ａを有している。そして、内部には、上面部３４ａの中心部に対して１８０°離間した位置に出力端子１０ａ，１０ｂに電気的に接続している板状の一対の電極刃３５，３５が円弧状に形成され、この一対の電極刃３５，３５は上面部３４ａより上方向きに突出している。
【００７０】
一対の電極刃３５，３５は、引掛シーリング３２の取付面部３２ａに形成された一対の電極刃受け穴に挿入され、アダプタ本体３４が回動されることにより、一対の電源極に電気的に接続され、商用交流電源Ｖｓに電気的に接続される。
【００７１】
照明装置３１において、照明器具３が取付けられたワイヤレスリモコンアダプタ３３を天井面（造営面）８に配設された引掛シーリング３２に取り付けると、商用交流電源Ｖｓより照明器具３の電球形蛍光ランプ２４に電力が供給可能となる。そして、アダプタ６およびアダプタ２９の交換により、送信装置４または端末装置２８によって、照明器具３の電球形蛍光ランプ２４は、点消灯または調光点灯される。
【００７２】
次に、本発明の第３の実施形態について説明する。
【００７３】
図５〜図６は、本発明の第３の実施形態を示すワイヤレスリモコンアダプタの外観図である。なお、図１〜図２と同一部分または同一部分に相当する部分には同一符号を付して説明は省略する。
【００７４】
図５に示すワイヤレスリモコンアダプタ３５は、壁面や天井面などの造営面８に露出して配設されたものであり、アダプタ本体３６およびアダプタ６（２９）を有して構成され、その回路構成は、図３に示すワイヤレスリモコンアダプタ２と同様である。
【００７５】
アダプタ本体３６は、略箱状に形成されている。そして、背面３６ｂで入力部９が造営物に配線された配線コード１４，１４（図示しない。）に電気的に接続され、表面３６ａに出力部１０がコンセント部３７に形成されている。そして、下側面３６ｃに挿入口７が設けられ、アダプタ６（２９）が取付けられている。アダプタ６（２９）の表面６ａ（２９ａ）側に受信素子３８が設けられている。
【００７６】
なお、アダプタ６（２９）は、アダプタ本体３６の上側面３６ｄ、左または右側面３６ｅ，３６ｆに取付けるようにしてもよい。また、アダプタ本体３６は、造営物に埋設されてもよい。このとき、アダプタ６（２９）は、アダプタ本体３６の表面３６ａに取付けられるが、受信素子３８は、送信装置４からのワイヤレス信号（赤外線）が入力可能にアダプタ６（２９）の表面６ａ（２９ａ）側または背面６ｂ（２９ｂ）側に適宜設ければよい。
【００７７】
図６に示すワイヤレスリモコンアダプタ３９は、壁面や天井面などの造営面８に設けられた接続器としてのコンセント（図示しない。）に接続されるものであり、背面３９ｂ側に背面３９ｂより突出して一対のプラグ部４０，４０が設けられ、この一対のプラグ部４０，４０は、入力部９の入力端子９ａ，９ｂに電気的に接続されている。入力部９は、プラグ部４０，４０をコンセントに差し込むことにより、商用交流電源Ｖｓから給電される。その他は、図５に示すワイヤレスリモコンアダプタ３５と同様にして構成されている。
【００７８】
図５に示すワイヤレスリモコンアダプタ３５および図６に示すワイヤレスリモコンアダプタ３８は、コンセント部３７にプラグ（一対の電極刃）を有する電気器具のプラグが接続される。これにより、電気装置が形成される。そして、アダプタ６またはアダプタ２９の取付けにより、送信装置４または端末装置２８から電気器具への電源投入または電源遮断あるいは出力制御が行われる。
【００７９】
なお、電気器具としては、照明器具３の他、テレビ、ステレオ、エアコン、換気扇、扇風器、洗濯機、冷蔵庫、電気ヒータ、電子レンジ、電磁調理器、電気釜、電気ポット、乾燥機、ヘアードライヤ、アイロン、髭剃り器、充電器など、一般の家電を用いることができる。
【００８０】
次に、本発明の第４の実施形態について説明する。
【００８１】
図７〜図１０は、本発明の第４の実施形態を示し、図７は照明装置の分解概略正面図、図８はワイヤレスリモコンアダプタの回路図、図９は照明装置の配置図、図１０は端末装置のアドレス設定時における表示図である。なお、図２と同一部分には同一符号を付して説明は省略する。
【００８２】
図７において、電気装置としての照明装置４１は、ワイヤレスリモコンアダプタ４２、電気器具としての照明器具３および端末装置２８を有して構成されている。
【００８３】
ワイヤレスリモコンアダプタ４２は、造営面としての天井面８に配設された器体（アダプタ本体）４３、この器体４３の内部に配設された図８に示す入力部９、出力部１０、電源部１１、開閉装置４４、受信部４５、制御部４６およびＬＥＤ４７を有して構成されている。器体４３は、略筒状形状に形成されている。
【００８４】
入力部９は、器体４３の上面４３ａ側に設けられ、入力端子９ａ，９ｂが配線コード１４，１４を介して商用交流電源Ｖｓに電気的に接続されており、１００Ｖの交流電圧が入力される。また、出力部１０は、器体４３の下面４３ｂ側に設けられている。器体４３の下面４３ｂには、図２に示すアダプタ本体５と同様、一対の電極刃（入力部）受け穴（図示しない。）が形成されている。この電極刃受け穴から照明器具３の一対の電極刃（入力部）２２，２２が挿入され、回動されて出力端子１０ａ，１０ｂ上に載置されることにより、出力部１０は、照明器具３の入力部に電気的に接続される。そして、出力端子１０ａ，１０ｂは、図８に示すように、開閉装置４４を介してそれぞれ入力端子９ａ，９ｂに電気的に接続されている。
【００８５】
電源部１１は、入力部９から給電され、交流電圧を所定値の直流電圧に変換して、開閉装置４４の駆動回路部および位相制御回路部１５、受信部４５および制御部４６に出力する。
【００８６】
開閉装置４４は、駆動回路部および位相制御回路部１５、リレー４８および位相制御素子１７を有して構成されている。リレー４８は、入力部９および出力部１０の間に介在しており、リレーコイル４８ａが励磁または消磁されることにより、入力部９および出力部１０を電気的に接続または遮断させる。また、リレー４８は、リレーコイル４８ａが消磁されているときに入力部９および出力部１０を電気的に遮断するように、常開接点４８ｂ，…，４８ｂが設けられている。
【００８７】
受信部４５は、端末装置２８から送信される電波によるワイヤレス信号を受信するように構成され、端末装置２８から送信される電波を受信可能に、器体４３の外面４３ｃに臨んで受信素子（図示しない。）が配設されている。
【００８８】
制御部４６は、受信部４５が受信したワイヤレス信号に基づいて開閉装置４４のリレー４８の開閉動作または位相制御素子１７の位相角を制御する制御信号を生成するように構成されている。そして、ワイヤレスリモコンアダプタ４２は、個別のアドレスを有するものであり、制御部４６は、当該アドレスを記憶している記憶部（図示しない。）を有している。
【００８９】
ＬＥＤ４７は、発光部が器体４３の外面４３ｃに臨むようにして器体４３内に配設されており、リレー４８のリレーコイル４８ａの両端間に抵抗Ｒ１を介して接続されている。すなわち、ＬＥＤ４７は、リレーコイル４８ａが励磁されてリレー４８がオンされると点灯し、リレーコイル４８ａが消磁されてリレー４８がオフされると消灯する。そして、発光部が器体４３の外面４３ｃに臨んでいるので、ＬＥＤ４７の点消灯は、器体４３（ワイヤレスリモコンアダプタ４２）の外部から視認される。なお、リレーコイル４８ａの両端間に接続されているダイオードＤ１は、リレー４８がオフされたときに、ＬＥＤ４７の両端間に逆起電力が発生するのを防止している。
【００９０】
ＬＥＤ４７は、リレー４８がオンしているとき、点滅させてもよく、器体４３（ワイヤレスリモコンアダプタ４２）の外部から視認可能であれば、器体４３の外面に設けてもよく、その配設位置は問わない。また、ＬＥＤ４７は、後述のアドレス設定時に点灯または点滅すればよい。
【００９１】
端末装置２８は、電波により電源オンオフ信号や調光信号とともにアドレス信号のワイヤレス信号を送信する。これにより、当該アドレスを有するワイヤレスリモコンアダプタ４２に接続された照明器具３の電球形蛍光ランプ２４が点消灯または調光点灯される。
【００９２】
端末装置２８は、図９に示すように、住宅の一箇所例えばリビングの壁に配設され、ワイヤレスリモコンアダプタ４２および照明器具３は、各部屋に配設される。すなわち、リビングの天井面８には、２つのワイヤレスリモコンアダプタ４２ａ，４２ｂが配設され、それぞれのワイヤレスリモコンアダプタ４２ａ，４２ｂに照明器具３ａ，３ｂが接続されている。また、和室の天井面８にワイヤレスリモコンアダプタ４２ｃおよび照明器具３ｃ、寝室の天井面８にワイヤレスリモコンアダプタ４２ｄおよび照明器具３ｄ、子供部屋の天井面８にワイヤレスリモコンアダプタ４２ｅおよび照明器具３ｅが配設されている。そして、それぞれのワイヤレスリモコンアダプタ４２ａ〜４２ｅのアドレスは互いに異なっている。
【００９３】
そして、端末装置２８は、画面切り換えにより、その表示部２８ａにそれぞれの部屋ごとにオン・オフスイッチ２９Ａ，２９Ｂおよびアップ・ダウンスイッチ３０Ａ，３０Ｂが表示される。このオン・オフスイッチ２９Ａ，２９Ｂまたはアップ・ダウンスイッチ３０Ａ，３０Ｂを押操作することにより、端末装置２８からアドレス信号とともに、電源オンオフ信号または調光信号のワイヤレス信号が電波によりワイヤレスリモコンアダプタ４２に送信され、照明器具３の電球形蛍光ランプ２４が点消灯または調光点灯される。電波は、赤外線のように指向性を有せずにワイヤレス信号を送信するので、端末装置２８は、部屋の任意の場所に配設可能である。
【００９４】
図１０に、各部屋のワイヤレスリモコンアダプタ４２に送信されるワイヤレス信号のアドレスを端末装置２８に設定する場合を示す。すなわち、端末装置２８の表示部２８ａには、画面切り換えを行い、画面右側にワイヤレスリモコンアダプタ４２の全アドレス（ＭＡＣアドレス）と設定部４８が表示される。アドレスは、アドレス表示の右側の設定部４８を押操作することにより選択される。そして、いずれかのアドレスの設定部４８を押操作してアドレスを選択すると、そのアドレスを持つ電源オン信号のワイヤレス信号が各部屋の天井面８に配設されているワイヤレスリモコンアダプタ４２に送信される。そして、そのアドレスを持つワイヤレスリモコンアダプタ４２の制御部４６は、駆動回路部および位相制御回路部１５にリレー４８をオンさせる制御信号を伝送し、駆動回路部および位相制御回路部１５は、直流電圧をリレーコイル４８ａの両端間に供給してリレーコイル４８ａを励磁させる。すると、リレー４８がオンし、出力部１０の出力端子１０ａ，１０ｂ間に商用交流電源Ｖｓの交流電圧が供給されて、照明器具３の電球形蛍光ランプ２４が点灯するとともに、ＬＥＤ４７が点灯する。したがって、電球形蛍光ランプ２４の点灯またはＬＥＤ４７の点灯の視認により、選択されたアドレスに対するワイヤレスリモコンアダプタ４２および照明器具３が特定される。そして、特定された照明器具３の端末装置２８の表示部２８ａ上での場所（例えば、リビングの照明１など）の設定部５０を押操作すると、その照明器具３のアドレスが端末装置２８に設定される。以降、オンスイッチ部４９の押操作によって照明器具３の電球形蛍光ランプ２４の点消灯が可能である。また、表示部２８ａの画面切り換えにより、各部屋に対するオン・オフスイッチ２９Ａ，２９Ｂおよびアップ・ダウンスイッチ３０Ａ，３０Ｂの押操作により、電球形蛍光ランプ２４を点消灯または調光点灯させることができる。
【００９５】
次に、本発明の第４の実施形態の作用について述べる。
【００９６】
端末装置２８から送信されたワイヤレス信号におけるアドレス信号とワイヤレスリモコンアダプタ４２のアドレスが一致していると、当該ワイヤレスリモコンアダプタ４２に接続している照明器具３の電球形蛍光ランプ２４は点灯する。また、当該ワイヤレスリモコンアダプタ４２に配設されているＬＥＤ４７が点灯する。したがって、端末装置２８におけるアドレス設定時、電球形蛍光ランプ２４またはＬＥＤ４７の点灯の視認により、選択されたアドレスを当該ワイヤレスリモコンアダプタ４２のアドレスとして設定することができる。
【００９７】
ところで、新築のマンションや戸建住宅においては、一般的に、ワイヤレスリモコンアダプタ４２に照明器具３が接続されないものである。この場合でも、端末装置２８から送信されるワイヤレス信号には、各ワイヤレスリモコンアダプタ４２に対応しているアドレスが設定されている必要がある。このアドレス設定時、ＬＥＤ４７の点灯の視認により、端末装置２８から送信されたワイヤレス信号におけるアドレス信号とワイヤレスリモコンアダプタ４２のアドレスとの一致を確認することができる。したがって、ワイヤレスリモコンアダプタ４２にＬＥＤ４７を設けることにより、ワイヤレスリモコンアダプタ４２に照明器具３を接続するという手間を要することがなくなり、省力化が図られる。
【００９８】
次に、本発明の第５の実施形態について説明する。
【００９９】
図１１は、本発明の第５の実施形態を示す照明装置の分解概略正面図である。なお、図４および図７と同一部分には同一符号を付して説明は省略する。
【０１００】
図１１に示す照明装置５１は、接続器としての既設の引掛シーリング３２にワイヤレスリモコンアダプタ５２が取付けられたものである．
【０１０１】
ワイヤレスリモコンアダプタ５２は、図７に示すワイヤレスリモコンアダプタ４２と同様に回路が構成され、引掛シーリング３２の取付面部３２ａに対向する上面部５２ａを有している。そして、内部には、上面部５２ａの中心部に対して１８０°離間した位置に出力端子１０ａ，１０ｂに電気的に接続している板状の一対の電極刃３５，３５が円弧状に形成され、この一対の電極刃３５，３５は上面部５２ａより上方向きに突出している。一対の電極刃３５，３５は、引掛シーリング３２の取付面部３２ａに形成された一対の電極刃受け穴に挿入され、器体４３が回動されることにより、引掛シーリング３２の一対の電源極に電気的に接続され、商用交流電源Ｖｓに電気的に接続される。
【０１０２】
照明装置５１において、照明器具３が取付けられたワイヤレスリモコンアダプタ５２を天井面（造営面）８に配設された引掛シーリング３２に取付けると、商用交流電源Ｖｓより照明器具３の電球形蛍光ランプ２４に電力が供給可能となる。そして、端末装置２８によって、照明器具３の電球形蛍光ランプ２４は、点消灯または調光点灯される。
【０１０３】
そして、端末装置２８におけるアドレス設定時、ＬＥＤ４７の点灯の視認により、端末装置２８から送信されたワイヤレス信号におけるアドレス信号とワイヤレスリモコンアダプタ５２のアドレスとの一致が確認される。
【０１０４】
なお、上記第４および第５の実施形態に示すワイヤレスリモコンアダプタ４２，５２は、図５または図６に示すように、出力部１０にコンセント部３７を設け、プラグ（一対の電極刃）を有する電気器具を接続するように構成することもできる。また、図６に示すように、入力部９にプラグ部４０を設け、造営面８に配設しているコンセントに接続するように構成することもできる。さらに、コンセント部３７等を設けず、出力部１０から電源コード２１を介して電気器具に接続するように構成してもよい。
【０１０５】
【発明の効果】請求項１の発明によれば、アダプタに受信部および制御部を有するので、アダプタ本体が小型化されるとともに、アダプタを交換することによって、各種ワイヤレス信号に対応可能なワイヤレスリモコンアダプタを提供することができる。
【０１０６】
請求項２の発明によれば、造営面に配設されている接続器および既存の電気器具の間にワイヤレスリモコンアダプタを接続することにより、既存の電気器具を送信装置から電源入力や出力制御することができるとともに、アダプタの交換により、各種ワイヤレス信号に対応することができる。
【０１０７】
請求項３の発明によれば、赤外線または電波をそれぞれ受信するアダプタを具備するので、赤外線または電波を送信する送信装置に応じてアダプタを交換することができる。
【０１０８】
請求項４の発明によれば、アダプタはカード型形状に形成されているので、アダプタ本体に容易に取付けられるとともに、小型化することができる。
【０１０９】
請求項５の発明によれば、アドレス設定時にＬＥＤが点灯または点滅するので、ワイヤレスリモコンアダプタに電気器具が接続されていなくても、ＬＥＤの点灯または点滅の視認により、容易にワイヤレスリモコンアダプタに対する端末装置のアドレス設定ができる。
【０１１０】
請求項６の発明によれば、既設の接続器および既存の電気器具の間にワイヤレスリモコンアダプタを接続することにより、既存の電気器具に対して送信装置から電源入力や出力制御することができるとともに、アドレス設定時にＬＥＤが点灯または点滅するので、ワイヤレスリモコンアダプタに既存の電気器具が接続されていなくても、容易にワイヤレスリモコンアダプタに対する端末装置のアドレス設定ができる。
【０１１１】
請求項７の発明によれば、ＬＥＤは、リレーコイルの両端間に接続され、リレーコイルの両端間が給電されると点灯するので、ワイヤレスリモコンアダプタのアドレスと端末装置から送信されたワイヤレス信号のアドレスとの一致をＬＥＤの点灯により確認することができる。
【０１１２】
請求項８の発明によれば、電気器具が接続されたワイヤレスリモコンアダプタは、アダプタの交換により各種ワイヤレス信号に対応することができるとともに、送信装置から電源入力や出力制御される電気装置を提供することができる。
【０１１３】
請求項９の発明によれば、アドレス設定時にＬＥＤの点灯または点滅を視認することにより、ワイヤレスリモコンアダプタに対する端末装置のアドレス設定が容易にでき、電気器具が端末装置から電源入力や出力制御される電気装置を提供することができる。
【０１１４】
請求項１０の発明によれば、照明器具が接続されたワイヤレスリモコンアダプタは、アダプタの交換により各種ワイヤレス信号に対応することができるとともに、送信装置から電源入力や出力制御される照明装置を提供することができる。
【０１１５】
請求項１１の発明によれば、アドレス設定時にＬＥＤの点灯または点滅を視認することにより、ワイヤレスリモコンアダプタに対する端末装置のアドレス設定が容易にでき、照明器具が端末装置から電源入力や出力制御される照明装置を提供することができる。
【図面の簡単な説明】
【図１】本発明の第１の実施形態を示す照明装置の概略側面図。
【図２】同じく、照明装置の分解概略正面図。
【図３】同じく、ワイヤレスリモコンアダプタの回路図。
【図４】本発明の第２の実施形態を示す照明装置の概略分解正面図。
【図５】本発明の第３の実施形態を示すワイヤレスリモコンアダプタの外観図。
【図６】同じく、別のワイヤレスリモコンアダプタの外観図。
【図７】本発明の第４の実施形態を示す照明装置の分解概略正面図。
【図８】同じく、ワイヤレスリモコンアダプタの回路図。
【図９】同じく、照明装置の配置図。
【図１０】同じく、端末装置のアドレス設定時における表示図。
【図１１】本発明の第５の実施形態を示す照明装置の分解概略正面図。
【図１２】従来技術の照明装置の分解概略正面図。
【符号の説明】
１，３１，４１，５１…照明装置（電気装置）、２，３３，３５，３９，４２，５２…ワイヤレスリモコンアダプタ、３…照明器具（電気器具）、４…送信装置、５，３６…アダプタ本体、６，２９…アダプタ、１２，４４…開閉装置、１８，４５…受信部、１９，４６…制御部、２８…端末装置、４３…器体、４７…ＬＥＤ
【図１】
2004055473.tif 000003
【図２】
2004055473.tif 000004
【図３】
2004055473.tif 000005
【図４】
2004055473.tif 000006
【図５】
2004055473.tif 000007
【図６】
2004055473.tif 000008
【図７】
2004055473.tif 000009
【図８】
2004055473.tif 000010
【図９】
2004055473.tif 000011
【図１０】
2004055473.tif 000012
【図１１】
2004055473.tif 000013
【図１２】
2004055473.tif 000014